(57)【特許請求の範囲】
【請求項１】
複数のキーを有する操作部（２０）と、
情報を表示する表示部（３０）と、
前記表示部を照明する表示照明部（５６）と、
前記操作部を照明する操作照明部（５７）とを備え、電池（５８）により動作する照明機能付携帯機器であって、
前記操作部が操作されたか否かを判定する操作判定手段（１００）と、
前記操作判定手段によって前記操作部が操作されたと判定されたとき、第１の光量で前記表示部を照明させるように前記表示照明部を制御する第１の制御手段（１２０）と、
タッチ操作を検出するタッチセンサー（４０）と、
前記タッチセンサーによる検出に応じて、前記タッチ操作されたか否かを判定するタッチ判定手段（２００）と、
前記タッチ判定手段によって前記タッチ操作されたと判定されたとき、前記第１の光量に比べて小さな第２の光量で前記表示部を照明させるように前記表示照明部を制御する第２の制御手段（２２０）と、
前記タッチ判定手段によって前記タッチ操作されたと判定されたとき、前記操作部を照明させるように前記操作照明部を制御する第３の制御手段（２３０Ａ）とを有することを特徴とする照明機能付携帯機器。
【発明の詳細な説明】
【０００１】
【発明の属する技術分野】
本発明は、照明機能を有する照明機能付携帯機器に関する。
【０００２】
【従来の技術】
従来、携帯電話として、特開平２０００−１９６７４２号公報にて示されているものがある。このものにおいては、表示パネルと、その表示パネルを照明する照明部と、使用者のタッチ操作を検出するタッチセンサとを備え、タッチセンサで使用者のタッチ操作が検出されるとき、照明部は、表示パネルの照明を開始する。このため、使用者は、携帯電話を握るだけで、表示パネルの照明を開始することができるため、キー操作部を操作することなく、容易に、表示パネルを照明できる。
【０００３】
【発明が解決しようとする課題】
しかしながら、携帯電話は、使用者の手で握られた状態で、持ち運ばれることがある。この場合、照明部は、表示パネルを照明する必要が無いにもかかわらず、携帯電話が握られた状態で持ち運ばれているとき、表示パネルが継続的に照明されると、無駄に電力を消費することになる。
【０００４】
特に、表示パネルとして、カラー液晶パネルを採用すると、多大な電力を必要とするため、多大に無駄な電力を消費することになる。
【０００５】
本発明は、タッチセンサがタッチ操作を検出すると、表示部を照明する照明機能付携帯機器において、消費電力を抑えることを目的とする。
【０００６】
【課題を解決するための手段】
本発明は、上記目的を達成するために、請求項１に記載の発明では、複数のキーを有する操作部（２０）と、情報を表示する表示部（３０）と、表示部を照明する表示照明部（５６）と、操作部を照明する操作照明部（５７）とを備え、電池（５８）により動作する照明機能付携帯機器であって、操作部が操作されたか否かを判定する操作判定手段（１００）と、操作判定手段によって操作部が操作されたと判定されたとき、第１の光量で表示部を照明させるように表示照明部を制御する第１の制御手段（１２０）と、タッチ操作を検出するタッチセンサー（４０）と、タッチセンサーによる検出に応じて、タッチ操作されたか否かを判定するタッチ判定手段（２００）と、タッチ判定手段によってタッチ操作されたと判定されたとき、第１の光量に比べて小さな第２の光量で表示部を照明させるように表示照明部を制御する第２の制御手段（２２０）と、タッチ判定手段によってタッチ操作されたと判定されたとき、操作部を照明させるように操作照明部を制御する第３の制御手段（２３０Ａ）とを有することを特徴とする。
【０００７】
これにより、タッチ操作されたと判定されたとき、表示部は、第１の光量に比べて小さな第２の光量で照明される。このため、携帯電話が使用者の手で握られた状態で持ち運ばれるとき、表示部は、第１の光量に比べて小さな第２の光量で照明されるため、電力の消費を抑えることができる。
【００１１】
因みに、上記各手段の括弧内の符号は、後述する各実施形態に記載の具体的手段との対応関係を示す一例である。
【００１２】
【発明の実施の形態】
（第１実施形態）
図１に本発明に係る携帯電話の第１実施形態を示す。図１は携帯電話の正面図である。図１において、携帯電話は、ケース１０、キー操作部２０、カラー液晶パネル３０、及び、タッチセンサー４０から構成され、キー操作部２０は、電源キー、テンキー等の複数の操作キーから構成されたもので、ケース１０の正面ケース部１１に配設されている。
【００１３】
液晶パネル（表示部）３０は、ケース１０の正面ケース部１１の開口部１２の内に配置されて、各種情報を表示する。また、タッチセンサー４０は、一対のセンサー素子４１、４２を有している。センサー素子４１は、ケース１０の左側面１３ｂに配置され、センサー素子４２は、ケース１０の右側面１３ａに配置されている。
【００１４】
次に、携帯電話の電気回路構成につき図２を参照して説明する。図２は携帯電話の概略構成を示すブロック図である。携帯電話は、図２に示すように、タッチセンサー４０に加えて、マイク５０、レシーバ５１、音声回路５２、無線部５３、アンテナ５４、記憶部（メモリ）５５、表示照明部５６、操作照明部５７、二次電池５８、及びマイクロコンピュータ５９を有する。
【００１５】
タッチセンサー４０では、センサ素子４１、４２の間には所定電圧が印可されている。センサ素子４１、４２の間の抵抗値の変化は検出され、その変化によって、携帯電話自身が利用者の手によって握られていることを検出する。
【００１６】
具体的には、携帯電話自身が利用者の手によって握られいないとき、センサ素子４１、４２の間の抵抗値は、ほぼ、無限大になる。一方、携帯電話自身が利用者の手によって握られると、センサ素子４１、４２の間の抵抗値が無限大から小さくなる。すなわち、センサ素子４１から利用者の手を通してセンサ素子４２に電流が流れる。このような電流を検出することにより、センサ素子４１、４２の間の抵抗の変化が検出される。
【００１７】
マイク５０は、使用者の音声を送話音声信号に変換して音声回路５２に出力し、レシーバ５１は、音声回路５２からの受話音声信号に基づいて、通話相手からの受話音声を出力する。音声回路５２は、無線部５３からの復調信号を受話音声信号に変換してレシーバ５１から出力させる一方、マイク５０からの送話音声信号を送信信号に変換し無線部５３に出力する。
【００１８】
無線部５３は、基地局からアンテナ５４を介して受信した受信信号を復調信号に変換して音声回路５２に出力する一方、音声回路５２からの送信信号を変調して変調信号をアンテナ５４を介して基地局に送信する。記憶部５５は、各種データ、コンピュータプログラムを保持する。
【００１９】
表示照明部５６は、マイクロコンピュータ５９により制御されて、カラー液晶パネル３０を照明し、操作照明部５７は、マイクロコンピュータ５９により制御されて、キー操作部２０を照明する。二次電池５８は、音声回路５２、無線部５３、記憶部（メモリ）５５、表示照明部５６、操作照明部５７及びマイクロコンピュータ５９等に電力を供給する。マイクロコンピュータ５９は、電話の発着呼処理、各種バックライト処理等を行う。
【００２０】
次に、本第１実施形態の具体的な作動の説明に先だって、表示照明部５６及び操作照明部５７の構成につき図１及び図３を用いて説明する。図１に示すように、操作照明部５７は、各発光ダイオード５７ａ〜５７ｇを有し、これら発光ダイオード５７ａ〜５７ｇは、正面ケース部１１の裏面側に配設されている。各発光ダイオード５７ａ〜５７ｇは、点灯にて、キー操作部２０をその裏面側から照明する。
【００２１】
また、表示照明部５６の構成について図３を参照して説明する。図３は、図１中Ａ−Ａ断面図である。図３において、表示照明部５６は、カラー液晶パネル３０の裏面に沿って配設された導光板５６ａと、導光板５６ａの側面に向け光を入射する各発光ダイオード５６ｂ（図３では、発光ダイオード５６ｂを１つだけ示す）とから構成されている。
【００２２】
ここで、各発光ダイオード５６ｂは、その点灯にて、導光板５６ａの側面に向け光を入射すると、導光板５６ａは、各発光ダイオード５６ｂからの入射光を受け、面上光を発生する。このため、カラー液晶パネル３０は、導光板５６ａからの面上光を受けることにより、照明を受ける。
【００２３】
次に、マイクロコンピュータ５９のバックライト処理につき説明する。バックライト処理は、待ち受け状態、若しくは、電話の発着呼処理の実行中において、所定期間毎の割り込み処理として行われる。マイクロコンピュータ５９は、図４、図５に示すフロチャートに従って、バックライト処理を行う。なお、バックライト処理では、キー操作部２０の操作に応じて第１〜第５の照明モードが設定可能で、本第１実施形態では、第１の照明モードにつき説明する。
【００２４】
図４は、キー操作の検出時のバックライト処理（以下、キー操作バックライト処理という）のフローチャート、図５は、タッチ操作の検出時のバックライト処理（以下、タッチ操作バックライト処理という）のフローチャートを示す。
【００２５】
ここで、バックライト処理において、タッチ操作バックライト処理とキー操作バックライト処理とは、時分割で実行される。
【００２６】
先ず、キー操作バックライト処理において、キー操作部２０への操作が行われたか否かを判定し（ステップ１００）、キー操作部２０への操作が行われたとき、ステップ１１０に進んで、タイマーをリセットする。これにより、タイマーが計時を開始する。
【００２７】
次に、第１のデューテイ（ｄｕｔｙ）の駆動信号を表示照明部５６に出力するため、表示照明部５６は、第１の光量（強点灯）にて点灯する（ステップ１２０）。従って、カラー液晶パネル３０は、表示照明部５６の第１の光量で照明される。
【００２８】
次に、第１デューテイの駆動信号を操作照明部５７に出力するため、操作照明部５７は、第１の光量（強点灯）で点灯する（ステップ１３０）。従って、キー操作部２０は、操作照明部５７の第１の光量で照明される。
【００２９】
次に、ステップ２１０のタイマーの計時開始から一定期間が経過したか否かを判定する（ステップ１４０）。ここで、タイマーの計時開始から一定期間が経過していないとき、ステップ１２０に進む。
【００３０】
次に、ステップ１４０で、タイマーの計時開始から一定期間が経過したとき、表示照明部５６及び操作照明部５７への駆動信号の出力を停止して表示照明部５６及び操作照明部５７を消灯させる（ステップ１５０）。
【００３１】
また、図５に示すタッチ操作バックライト処理では、タッチセンサ４０がタッチ操作されたか否かを判定し（ステップ２００）、タッチ操作されたとき、ステップ２１０に進んで、タイマーをリセットする。これにより、タイマーが計時を開始する。
【００３２】
次に、第１のデューテイに比べて小さな第２のデューテイの駆動信号を表示照明部５６に出力するため、表示照明部５６は、第１の光量に比べて小さな第２の光量（弱点灯）で点灯する（ステップ２２０）。従って、カラー液晶パネル３０は、表示照明部５６の第２の光量で照明される。また、操作照明部５７の点灯を禁止する（ステップ２３０）。
【００３３】
次に、キー操作部２０への操作が行われたか否かを判定し（ステップ２４０）、キー操作部２０への操作が行われていないとき、ステップ２５０に進んで、タイマーの計時開始から一定期間が経過したか否かを判定する。ここで、タイマーの計時開始から一定期間が経過していないとき、ステップ２２０に進む。
【００３４】
次に、ステップ２５０で、タイマーの計時開始から一定期間が経過したとき、表示照明部５６への駆動信号の出力を停止して表示照明部５６を消灯させる（ステップ２６０）。また、ステップ２４０で、キー操作部２０への操作が行われたとき、図４のステップ１１０に進む。これにより、タッチ操作バックライト処理の実行中にて、キー操作部２０への操作が行われことにより、キー操作バックライト処理は、実行される。
【００３５】
以下、本第１実施形態の特徴につき述べる。
【００３６】
先ず、マイクロコンピュータ５９は、キー操作部２０が操作されたか否かを判定し、キー操作部２０が操作されたと判定したとき、第１の光量でカラー液晶パネル３０を照明させるように表示照明部５６を制御する。タッチ操作を検出するタッチセンサー４０を具備し、マイクロコンピュータ５９は、タッチセンサー４０による検出に応じて、タッチ操作されたか否かを判定する。ここで、マイクロコンピュータ５９は、タッチ操作されたと判定したとき、第１の光量に比べて小さな第２の光量でカラー液晶パネル３０を照明させるように表示照明部５６を制御する。
【００３７】
以上により、タッチ操作されたとき、表示照明部５６は、第１の光量に比べて小さな第２の光量でカラー液晶パネル３０を照明する。これにより、携帯電話が使用者の手で握られた状態で、持ち運ばれるとき、カラー液晶パネル３０は、第１の光量に比べて小さな第２の光量で照明されるため、電力の消費を、抑えることができる。
【００３８】
なお、上記第１実施形態では、図５に示すステップ２００にて、タッチ操作されたとき、表示照明部５６は、第２の光量で点灯する例（第１の照明モード）につき説明したが、これに限らず、図６に示すタッチ操作バックライト処理を採用してもよい（第２の照明モード）。
【００３９】
この場合、マイクロコンピュータ５９は、図４に示すキー操作バックライト処理と図６に示すタッチ操作バックライト処理とを時分割処理することで、バックライト処理する。図６は、タッチ操作バックライト処理のフローャートを示す。図６において、図５と同一符号は、同一ステップを示す。
【００４０】
先ず、マイクロコンピュータ５９は、ステップ２００〜２２０の処理後、第１デューテイの駆動信号を操作照明部５７に出力するため、操作照明部５７は、第１の光量（強点灯）で点灯する（ステップ２３０Ａ）。従って、キー操作部２０は、操作照明部５７の第１の光量で照明される。その後、ステップ２４０〜ステップ２６０の処理を行う。
【００４１】
なお、ステップ２３０Ａにて、上述の如く、操作照明部５７が第１の光量（強点灯）で点灯するのに限らず、第２デューテイの駆動信号を操作照明部５７に出力し、操作照明部５７は、第２の光量（弱点灯）で点灯するさせるようにしてもよい。
【００４２】
また、マイクロコンピュータ５９は、図４に示すキー操作バックライト処理と図７に示すタッチ操作バックライト処理とを時分割処理することで、バックライト処理するようにしてもよい（第３の照明モード）。図７は、タッチ操作バックライト処理のフローャートを示す。図７において、図５と同一符号は、同一ステップを示す。
【００４３】
先ず、ステップ２００、２１０の処理後、ステップ２２０Ｂで、第１のデューテイの駆動信号を表示照明部５６に出力するため、表示照明部５６は、第１の光量（強点灯）で点灯する。このため、カラー液晶パネル３０は、表示照明部５６の第１の光量で照明される。その後、ステップ２３０〜ステップ２６０の処理を行う。
【００４４】
また、マイクロコンピュータ５９は、図４に示すキー操作バックライト処理と図８に示すタッチ操作バックライト処理とを時分割処理することで、バックライト処理するようにしてもよい（第４の照明モード）。図８は、タッチ操作バックライト処理のフローャートを示す。図８において、図５と同一符号は、同一ステップを示す。
【００４５】
先ず、ステップ２００、２１０の処理後、ステップ２２０Ｃで表示照明部５６の点灯を禁止する。そして、ステップ２３０で操作照明部５７の点灯を禁止して、その後、ステップ２４０〜ステップ２６０の処理を行う。
【００４６】
（第２実施形態）
上記第１実施形態では、キー操作バックライト処理で、カラー液晶パネル３０は、表示照明部５６の第１の光量で照明されるとともに、キー操作部２０は、操作照明部５７の第１の光量で照明される例につき説明したが、これに限らず、以下のようにしてもよい。
【００４７】
この場合、マイクロコンピュータ５９は、図９に示すキー操作バックライト処理と図５に示すタッチ操作バックライト処理とを時分割処理することで、バックライト処理する（第５の照明モード）。図９は、キー操作バックライト処理のフローチャート、図５は、タッチ操作バックライト処理のフローチャートを示す。
【００４８】
先ず、図９に示すキー操作バックライト処理では、キー操作部２０への操作が行われたか否かを判定し（ステップ１００）、キー操作部２０への操作が行われたとき、表示照明部５６の点灯を禁止するとともに、操作照明部５７の点灯を禁止する（ステップ１３０Ａ、１４０Ａ）。
【００４９】
なお、図５に示すタッチ操作バックライト処理の説明は、上記第１実施形態と同一である。
【００５０】
また、上記第２実施形態では、図５に示すタッチ操作バックライト処理を採用した例につき説明したが、これに限らず、図１０に示すタッチ操作バックライト処理を採用してもよい。
【００５１】
この場合、マイクロコンピュータ５９は、図９に示すキー操作バックライト処理と図１０に示すタッチ操作バックライト処理とを時分割処理することで、バックライト処理する（第６の照明モード）。なお、図１０にて、図５と同一符号は、同一ステップを示す。先ず、ステップ２００の処理後、表示照明部５６の点灯を禁止し、操作照明部５７の点灯を禁止する（ステップ２２０Ｃ、２３０）。
【００５２】
なお、上記各実施形態では、表示部としてカラー液晶パネル３０を採用した例につき説明したが、これに限らず、照明の光量を調整可能な表示部であるならば、ＥＬパネル、プラズマパネル等の各種表示部を採用してもよい。
【図面の簡単な説明】
【図１】本発明の第１実施形態の携帯電話を示す正面図である。
【図２】図１に示す携帯電話の電気回路構成を示すブロック図である。
【図３】図１中Ａ−Ａ断面図である。
【図４】図２に示すマイクロコンピュータのキー操作バックライト処理を示すフローチャートである。
【図５】図２に示すマイクロコンピュータのタッチ操作バックライト処理を示すフローチャートである。
【図６】上記第１実施形態の変形例におけるマイクロコンピュータのタッチ操作バックライト処理を示すフローチャートである。
【図７】上記第１実施形態の変形例におけるマイクロコンピュータのタッチ操作バックライト処理を示すフローチャートである。
【図８】上記第１実施形態の変形例におけるマイクロコンピュータのタッチ操作バックライト処理を示すフローチャートである。
【図９】本発明の第２実施形態のマイクロコンピュータのキー操作バックライト処理を示すフローチャートである。
【図１０】上記第２実施形態のマイクロコンピュータのタッチ操作バックライト処理を示すフローチャートである。
【符号の説明】
２０…キー操作部、３０…カラー液晶パネル、４０…タッチセンサー、
５６…表示照明部、５９…マイクロコンピュータ。
【図１】
0003767412.tif 000002
【図２】
0003767412.tif 000003
【図３】
0003767412.tif 000004
【図４】
0003767412.tif 000005
【図５】
0003767412.tif 000006
【図６】
0003767412.tif 000007
【図７】
0003767412.tif 000008
【図８】
0003767412.tif 000009
【図９】
0003767412.tif 000010
【図１０】
0003767412.tif 000011